(57)【特許請求の範囲】
【請求項１】
表面に少なくとも２種の異種金属を主成分として含有する蒸着膜(3)が形成された光透過性のプラスチック成形品(1)であって、全光線透過率が蒸着膜(3)形成前の全光線透過率の６５〜７５％の範囲とし、該蒸着膜(3)により前記
少なくとも２種の異種金属より特定される異なる色合いを縞模様状に現出させて加飾したことを特徴とする加飾プラスチック成形品。
【請求項２】
蒸着膜(3)が透明性膜でトップクリアコートされた、請求項１記載の加飾プラスチック成形品。
【請求項３】
プラスチック成形品(1)内に光を反射する機能を有したフィラーが分散された請求項１または２記載の加飾プラスチック成形品。
【請求項４】
プラスチック成形品(1)が容器であることを特徴とする請求項１、２または３記載の加飾プラスチック成形品。
【発明の詳細な説明】
【０００１】
【発明の属する技術分野】
本発明は、表面が金属を主体とする蒸着膜により加飾されたプラスチック成形品に関する。
【０００２】
【従来の技術】
従来より、プラスチック成形品の外表面全体あるいは一部に金属を蒸着して、メタリック様に加飾したり、鏡状にしたり、あるいは所謂ハーフミラー状にしたりしてプラスチック成形品の加飾あるいは機能化が一般的に行なわれている。
【０００３】
たとえば、特許文献１には車両用灯具の一部材として使用する、光透過性プラスチック成形品に金属を薄く蒸着（以下ハーフ蒸着という。）したハーフミラーに関する記載がある。
【０００４】
【特許文献１】
特開２００３−１１５２０６号公報
【０００５】
【発明が解決しようとする課題】
しかしながら、特許文献１記載のハーフミラーにおいても、従来の技術は基本的には金属の蒸着によりプラスチックにメタリック様な感じを付与するものであるが、本願発明者らは、蒸着の条件等により特には光透過性プラスチックの成形品に様々な装飾的効果、特には出色効果を付与できることを発見し本願発明に至った。
【０００６】
すなわち、本発明は、光透過性プラスチック成形品への金属蒸着による出色効果を付与することを技術的課題とし、もって独特の装飾性、高級感の付与されたプラスチック成形品を提供することを目的とする。
【０００７】
【課題を解決するための手段】
上記技術的課題を解決する本発明の内、第１の発明の手段は、
表面に金属を主成分とする蒸着膜が形成された光透過性のプラスチック成形品であって、光線透過率を蒸着膜形成前の光線透過率の６５〜７５％の範囲とし、蒸着膜により金属の種類により特定される色合いを現出させて加飾したこと、にある。
【０００８】
第１の発明の上記構成により、光線透過率を蒸着膜形成前の光線透過率の６５〜７５％の範囲とすることにより、すなわち反射鏡やハーフミラーにおけるよりも蒸着膜の膜厚を薄くすることにより、見る方向によっては若干のメタル様の感じを付与させながら、優れた透明性を保持した状態で、使用する金属による独特な色合いを出色させることができる。
【０００９】
蒸着には各種の金属、合金化合物が適応でき、その材料に限定はなく、通常アルミニウム、銀、金、銅、ロジューム、クロム、ニッケル、白金、チタン、モリブデン、タングステン等の各種金属やその合金、あるいは酸化珪素、酸化スズ、酸化セリューム、酸化チタン、酸化亜鉛、硫化亜鉛、弗化マグネシューム等の各種化合物を目的に応じて使用できる。
【００１０】
たとえばアルミニウムでは黒色、クロムおよびチタンでは青、鉄では赤系統の色を出色させることができる。
【００１１】
ここで全光線透過率を蒸着膜形成前の全光線透過率の６５〜７５％の範囲としたのは７５％を超えると出色が十分でなくなること、また６５％未満では全体としてメタリック様の感触と成ってしまい、それぞれの金属に特有な出色性が損なわれるためである。
【００１２】
また光透過性プラスチックとしては特に限定されるものでなく、たとえばポリカーボネイト樹脂、アクリル樹脂、ポリスチレン系樹脂、ポリエステル系樹脂等の透明または半透明な樹脂を使用することができ、また大きく透明性を損なわない範囲で着色のための染料あるいは顔料による着色したものを使用することもでき、金属による出色と組み合わせて様々な色合いを出すことができる。
【００１３】
第２の発明の手段は第１の発明において、真空蒸着法により蒸着膜が形成されていること、にある。
【００１４】
第２の発明の上記構成により、真空蒸着法により、例えば容器等の湾曲性の形状を有した成形品であっても、たとえば成形品を公転および自転を組み合わせた回転装置に取り付けることにより成形品の外表面全体に略均一に蒸着膜を形成することができる。
【００１５】
第３の発明の手段は、第１または３の発明において、異種金属を組み合わせた蒸着法により蒸着膜が形成されていること、にある。
【００１６】
第３の発明の上記構成により、金属により出色する色合いが異なり、また金属によって成形品表面への蒸着性が異なるので、特に本発明範囲でのハーフ蒸着においては、必ずしも両者の色が均一に平均化して出色するのでなく、たとえば２種の金属の蒸着による出色が縞模様状に発揮される等して、独特な装飾効果を付与することができる。
【００１７】
異種の金属の真空蒸着方法としては、同一の電気抵抗加熱体上で加熱する、それぞれの別の電気抵抗加熱体上で同時にあるいは時間差を設けて加熱する、また真空蒸着を繰り返す等の方法があるが、この異種金属の蒸着方法、金属種選定により様々な装飾効果を付与することができる。
【００１８】
第４の発明の手段は、第１、２または３の発明において、蒸着膜が透明性膜でトップクリアコートされていること、にある。
【００１９】
第４の発明の上記構成により、蒸着膜の酸化等の変質、磨耗、傷付き等による装飾性の劣化を防ぐと共に、ハーフ蒸着ではあるものの、蒸着膜による若干の反射性と、ＵＶ硬化タイプのアクリル系トップコート剤等によるコート膜の薄膜性が相俟って、虹色に発色する薄膜による干渉模様、所謂油膜様の模様を出現せしめることができ、独特な装飾性を成形品に付与することができる。
【００２０】
第５の発明の手段は、第１、２、３または４の発明において、プラスチック成形品内に光を反射する機能を有したフィラーが分散されていること、にある。
【００２１】
第５の発明の上記構成により、たとえば金属紛、マイカの表面を金属でコーテイングしたフィラー等の光を反射する機能を有したフィラーをプラスチック成形品内に分散することにより、蒸着による蒸着膜とフィラーとの間で光が相互に反射するので、独特の装飾効果が発揮されると共に、特には蒸着膜の表面が薄膜状に透明性膜でトップクリアコートされている場合には、照明等の光の当たり方、あるいは見る角度により、薄膜による干渉模様が変化して動く様に見え、さらに独特な装飾効果を付与することができる。なお、フィラーの形状としては光の反射効果の点からマイカ等の扁平な形状とすることが好ましい。
【００２２】
第６の発明の手段は、第１、２、３、４または５の発明において、プラスチック成形品が容器であること、にある。
【００２３】
第６の発明の上記構成により、たとえば容器の装飾性が商品力の大きな部分を占める化粧品等の容器において、独特の装飾性を発揮させて商品イメージを大きく向上させることができる。
【発明の実施の形態】
【００２４】
以下、本発明の実施の形態を、図面を参照しながら実施例を用いて説明する。なお、図１は本発明の効果を確認するためのモデル的な成形品１であり、スチレン系樹脂であるＡＳ（アクリロニトリル−スチレン共重合）樹脂製の透明、有頂端円筒状成形品である。また図２は図１の成形品１の縦断面図であり、（ａ）はＡＳ樹脂性の成形品本体２、（ｂ）は成形品本体２に蒸着膜３が形成された状態、（ｃ）はさらに蒸着膜３を透明性のコート膜５でトップクリアコートした状態を示すものである。
【００２５】
【実施例】
実施例１は、金属としてアルミニウムを使用し、真空蒸着機で、蒸着量を全光線透過率が蒸着膜形成前の全光線透過量の６５〜７５％の範囲内となるように、成形品１について真空蒸着を実施して得られた、図２（ｂ）に示す層構成を有した加飾プラスチック成形品であり、黒系統の色を出色した透明な成形品である。（以下の実施例においても蒸着量を全光線透過率が蒸着前の全光線透過量の６５〜７５％の範囲内となるようにしている。）なお、全光線透過率の測定は、ＪＩＳ  Ｋ７３６１−１９９７に準拠して図２（ｂ）中の白抜き矢印で示される方向から光を入射して測定を実施したものである。
【００２６】
実施例２〜５は実施例１と同様に、各種の金属を用いて成形品１について真空蒸着を実施して得た加飾プラスチック成形品であり、下に各実施例における使用金属と出色する色系統を示す。
実施例２  鉄                赤
実施例３  クロム            青
実施例４  チタン            青
実施例５  ステンレス        茶
【００２７】
実施例６はアルミニウムおよび鉄の２種の金属を同一の電気抵抗加熱体上から蒸散させて真空蒸着を実施したものであり、アルミニウムによる黒系統の色と鉄による赤系統の色が縞模様状に出色する等して、今までにない独特な装飾効果を有した加飾プラスチック成形品となった。
【００２８】
実施例７は、実施例１のアルミニウムを真空蒸着した層を、紫外線硬化性のアクリル系樹脂でトップクリアコートして、図２（ｃ）に示すコート層５を形成した加飾プラスチック成形品であり、成形品の頂壁上面に照明等を反射させながら見ると、若干ではあるが光を反射する蒸着層２と薄膜であるコート層５とが相互作用して、図３に概略的に示したような虹色に発色した薄膜による干渉模様が見られ、独特の装飾性を発揮せしめることができる。
【００２９】
実施例８は、成形品１がＡＳ樹脂にマイカにアルミニウムをコートしたフィラーを数重量部分散させたものである以外は実施例７と同様の加飾プラスチック成形品であり、マイカ表面にコートしたアルミニウムによる光の反射効果も加味されて、照明を当てる方向、また見る方向により実施例７における虹色に発色した薄膜による干渉模様が変化して動くような感じを与えさらに独特の装飾性を発揮せしめることができる。
【００３０】
【発明の効果】
本発明は、上記した構成となっているので、以下に示す効果を奏する。
第１の発明にあっては、光線透過率を蒸着膜形成前の光線透過率の６５〜７５％の範囲とすることにより、すなわち反射鏡やハーフミラーにおけるよりも膜厚を比較的薄くすることにより、若干のメタリック様の感じを付与させながら、透明な状態で、使用する金属による独特な色合いを出色させることができる。
【００３１】
第２の発明にあっては、真空蒸着法により蒸着膜を形成することにより、例えば容器等の湾曲性の形状を有した成形品であっても、たとえば公転および自転を組み合わせた回転装置に取り付けることにより成形品の外表面全体に略均一に蒸着膜を形成することができる。
【００３２】
第３の発明にあっては、異種金属を組み合わせた真空蒸着により蒸着膜を形成したことにより、金属により出色する色合いが異なり、また金属によって成形品表面への蒸着性が異なり、また必ずしも両者の色が均一に平均化して出色するのでなく、たとえば２種の金属の蒸着による出色が縞模様状等に出現されて独特な装飾効果を付与することができる。
【００３３】
第４の発明の発明にあっては、蒸着膜の酸化等の変質、磨耗、傷つき等による装飾性の劣化を防ぐと共に、蒸着膜による若干の反射性と、コート膜の薄膜性が相俟って、虹色に発色する薄膜による干渉模様が出現して独特な装飾性を成形品に付与することができる。
【００３４】
第５の発明にあっては、フィラー等の光を反射する機能を有したフィラーをプラスチック成形品内に分散することにより、蒸着による蒸着膜とフィラーとの間で光が相互に反射するので、独特の装飾効果が発揮されると共に、特には蒸着膜の表面が薄膜状にトップクリアコートされた場合には、照明等の光の当たり方、あるいは見る角度により、薄膜による干渉模様が変化して動くように見えるので、さらに独特な装飾効果を付与することができる。
【００３５】
第６の発明にあっては、たとえば容器の装飾性が商品力の大きな部分を占める化粧品等の容器において、独特の装飾性を発揮させて商品イメージを大きく向上させることができる。
【図面の簡単な説明】
【図１】  本発明の実施例に用いる成形品を示す、斜視図。
【図２】  （ａ）図１の成形品の蒸着前の状態、（ｂ）（ａ）に金属膜を蒸着した状態、および（ｃ）（ｂ）にさらにトップクリアコートした状態を示す縦断面図
【図３】  実施例７の成形品に見られる薄膜による干渉模様の模様を概略的に示す、平面図。
【符号の説明】
１  ；  成形品
２  ；  成形品本体
３  ；  蒸着膜
５  ；  コート膜
【図１】
0004748470.tif 000002
【図２】
0004748470.tif 000003
【図３】
0004748470.tif 000004